(57)【要約】【課題】照明灯駆動回路及び該回路を採用する冷陰極蛍光灯の提供。【解決手段】照明灯駆動回路は、順番に連接するブリッジ式整流回路I、EMCフィルター回路II、制御回路III、電力変換器IV、冷陰極灯管負荷Vを備え、制御回路IIIと電力変換器 IVとの間には、フィードバック回路VIを直列接続し、照明灯駆動回路を採用する冷陰極蛍光灯は、プラスチックの灯管ハウジング１、冷陰極蛍光灯管２、設置電極、サポートフレーム、駆動回路モジュールを備え、灯管ハウジング１両端の設置電極上には２個の接触電極３を設置し、普通の蛍光灯台に電気的に連接する。【選択図】図１
0003160344.tif 000002
【実用新案登録請求の範囲】
【請求項１】
順番に連接するブリッジ式整流回路、EMCフィルター回路、制御回路、電力変換器、冷陰極灯管負荷を備え、
照明灯駆動回路はさらに、フィードバック回路を備え、前記制御回路と前記電力変換器との間に直列接続し、
前記整流回路は、第一ダイオード、第二ダイオード、第三ダイオード、第四ダイオードを備え、前記各ダイオードはブリッジ式連接を構成し、
前記EMCフィルター回路は、第一キャパシター、第二キャパシター、インダクターを含み、II型フィルター回路連接を構成することを特徴とする照明灯駆動回路。
【請求項２】
前記制御回路は、制御チップ、第五ダイオード、第八ダイオード、第三キャパシター、第四キャパシター、第五キャパシター、第一レジスター、第四レジスター、第五レジスターを含み、
その連接方式は、以下の通りで、
前記第五ダイオードは、前記EMCフィルター回路と前記制御回路との間に接続し、その正極は、前記EMCフィルター回路の出力端に連接し、電源の出力端である負極は、前記制御回路に連接し、
前記第一レジスター、前記第四レジスター、前記第五レジスター、前記第三キャパシターは、直列接続後、回路に並列接続し、前記第八ダイオードと前記第五キャパシターは直列接続後、前記制御チップの第六ピンと第一ピンとの間に接続し、その正極端及び前記制御チップの第一ピンは、前記第五レジスターと前記第三キャパシターの正極の直列接続点に並列接続し、前記制御チップの第八ピンは、前記第八ダイオードと前記第五キャパシターの直列接続点に連接し、
前記第五レジスターと前記第四キャパシターは、前記制御チップの第二ピンとアースとの間に直列接続し、前記制御チップの第三ピンの間は、前記第五レジスターと前記第四キャパシターの直列接続点に連接し、
前記制御チップの第四ピンとアースとは、相互に連接することを特徴とする請求項１に記載の照明灯駆動回路。
【請求項３】
前記電力変換器は、第六レジスター、第七レジスター、第一フィールドエフェクトトランジスター、第二フィールドエフェクトトランジスター、第七キャパシター、第八キャパシター、昇圧変圧器、隔離変圧器を含み、
その連接方式は、以下の通りで、
前記第一フィールドエフェクトトランジスター、前記第二フィールドエフェクトトランジスター、前記第七キャパシター、前記第八キャパシターは直列接続後、回路中に接続し、前記第一フィールドエフェクトトランジスターのドレイン極、前記第二フィールドエフェクトトランジスターのソース極、前記昇圧変圧器の一次コイルの一端と前記制御回路の第六ピンとは、並列接続し、
前記昇圧変圧器の一次コイルの他端は、前記第七キャパシターと前記第八キャパシターの直列接続点に連接し、
前記隔離変圧器の一次端と、前記昇圧変圧器の二次端同極端は、相互に対応して接続し、前記隔離変圧器の二次端電力出力端と前記冷陰極灯管負荷と並列接続し、前記第七レジスターは、前記制御回路の第七ピンと前記第一フィールドエフェクトトランジスターのゲイト極との間に直列接続し、
前記第六レジスターは、前記制御チップの第五ピンと前記第二フィールドエフェクトトランジスターのゲイト極との間に直列接続することを特徴とする請求項１に記載の照明灯駆動回路。
【請求項４】
前記フィードバック回路は、第六キャパシター、第六ダイオード、第七ダイオードを含み、
その連接方式は、以下の通りで、
前記第六ダイオードと前記第七ダイオードは、前記制御回路の第三キャパシターの両端に直列接続し、前記第七ダイオードの負極と前記第三キャパシターの正極とは、連接し、前記第六ダイオードの正極と前記第三キャパシターの負極とは、連接し、前記第六キャパシターは、前記第六ダイオードと前記第七ダイオードの直列接続点、及び前記電力変換器中の前記第七キャパシターと前記第八キャパシターの直列接続点の間に直列接続することを特徴とする請求項１に記載の照明灯駆動回路。
【請求項５】
前記冷陰極灯管負荷は、少なくとも１個の冷陰極蛍光灯管を備え、
前記冷陰極蛍光灯管は、２個の接触電極を備え、しかも前記隔離変圧器の出力端に電気的に連接することを特徴とする請求項１に記載の照明灯駆動回路。
【請求項６】
冷陰極蛍光灯は、請求項１に記載の照明灯駆動回路を採用し、灯管ハウジング、冷陰極蛍光灯管を備え、
前記冷陰極蛍光灯管は、前記灯管ハウジング部に設置し、
前記灯管ハウジングの内部にはさらに、回路板を設置し、前記冷陰極蛍光灯管と電気的に連接し、
前記回路板の負荷は、冷陰極蛍光灯管であることを特徴とする請求項１に記載の照明灯駆動回路を採用する冷陰極蛍光灯。
【請求項７】
前記回路板と前記冷陰極蛍光灯管との間には、反射片を設置し、前記反射片は、前記灯管ハウジング内に係合して設置することを特徴とする請求項６に記載の冷陰極蛍光灯。
【請求項８】
前記灯管ハウジングの両端には、接触電極をそれぞれ設置し、前記接触電極一端内部は、前記回路板と連接し、露出する他端は、外部電源に連接することを特徴とする請求項６に記載の冷陰極蛍光灯。
【請求項９】
前記灯管ハウジングは、透明材料であることを特徴とする請求項６に記載の冷陰極蛍光灯。
【考案の詳細な説明】
【技術分野】
【０００１】
本考案は照明灯駆動回路に関し、特に冷陰極蛍光灯を駆動する駆動回路に関する。
【背景技術】
【０００２】
冷陰極蛍光灯管は、新型の照明光源である。冷陰極蛍光灯管は、灯管が細く、構造が簡単で、灯管表面の温度上昇が小さく、灯管表面の輝度が高く、各種形状(直管型、L型、U型、環状など)に加工し易く、使用寿命が長く、演色が良好で、発光が均一であるという長所を備える。そのため発明以来、TFT-LCD(液晶ディスプレー)の理想の光源として利用されており、電光掲示板、スキャナー、バックライトなどの用途にも幅広く応用されている。冷陰極蛍光灯管は、色彩が鮮やかで、消費電力が低いなどの長所も備えるため、都市の次世代夜間照明として理想的で、幅広いユーザーに利用されている。そのため、年間販売量は安定して伸びており、取り扱い企業数と供給能力も、拡大を続けている。
【０００３】
伝統的な冷陰極蛍光灯管の駆動回路は、ディスクリート部品を接続してフルブリッジとする回路方式を採用し電流の駆動を完成する。そのため、回路周囲の部品数が多く、制御回路の設計、デバッグの作業量も多くなり、しかも回路の信頼性が低い。近年、多くのチップメーカーは、モノチップの冷陰極蛍光灯管駆動ソリューションを発売してはいるが、それらの多くは典型的な応用回路の方式で、回路を保護する応用方式は少ないため、工業化生産と民生用使用に適していない。
【０００４】
現在使用されている照明において、大部分はやはり普通の蛍光灯照明システムである。普通の蛍光灯照明システムは、灯管、安定器、スターターなどにより組成し、使用時には、良好なスターターにより正確に回路中に接続することが必要で、さもなくば蛍光灯照明に点灯することはできない。しかし、スターターは損壊し易く、交換が面倒で、さらに既存の新型冷陰極蛍光灯管は、普通の蛍光灯管照明に直接代替することができず、既存の電源駆動配線を変えるとすれば、資源の浪費で、応用には不便である。本考案は、従来の冷陰極蛍光灯の上記した欠点に鑑みてなされたものである。
【考案の概要】
【考案が解決しようとする課題】
【０００５】
本考案が解決しようとする課題は、照明灯駆動回路及び該回路を採用する冷陰極蛍光灯を提供することである。
【課題を解決するための手段】
【０００６】
上記課題を解決するため、本考案は下記の照明灯駆動回路及び該回路を採用する冷陰極蛍光灯を提供する。
照明灯駆動回路は、順番に連接するブリッジ式整流回路、EMC(Electro-Magnetic Compatibility)フィルター回路、制御回路、電力変換器、冷陰極灯管負荷を備え、
照明灯駆動回路はさらに、フィードバック回路を備え、該制御回路と該電力変換器との間に直列接続し、
該整流回路は、第一ダイオード、第二ダイオード、第三ダイオード、第四ダイオードを備え、該各ダイオードはブリッジ式連接を構成し、
該EMCフィルター回路は、第一キャパシター、第二キャパシター、インダクターを含み、 II型フィルター回路連接を構成する。
【考案の効果】
【０００７】
本考案照明灯駆動回路は、回路構造が簡単で、部品数が少なく、コストが低廉である。さらに、本考案照明灯駆動回路は、最新式で、信頼性が高く、比較的少ない部品でフィードバック回路を構成し、負荷電圧電流を効果的に制御可能で、信頼できる性能を実現することができる。
本考案の冷陰極蛍光灯は、普通の蛍光灯台に便利に設置でき、ライト台上のスターターが有効であろうとなかろうと、正常に発光し使用することができるため、既存の普通の蛍光灯に置換することができ、工業化生産と民生用使用に適しており、消費電力を節減できるため、グリーン照明を実現することができる。
【図面の簡単な説明】
【０００８】
【図１】本考案照明灯駆動回路の表示図である。
【図２】本考案冷陰極蛍光灯の表示図である。
【考案を実施するための形態】
【０００９】
以下に図面を参照しながら本考案を実施するための最良の形態について詳細に説明する。
【実施例】
【００１０】
本考案照明灯駆動回路の表示図である図１に示すように、本考案照明灯駆動回路は、順番に連接するブリッジ式整流回路I、EMCフィルター回路II、制御回路III、電力変換器IV、冷陰極灯管負荷Vを備える。制御回路IIIと電力変換器IVとの間には、フィードバック回路VIを接続する。
【００１１】
照明灯駆動回路はさらに、第一ダイオードD１、第二ダイオードD２、第三ダイオードD３、第四ダイオードD４を備える。各ダイオードはブリッジ式連接を構成し、２２０Ｖ交流電力VINを直流電力に整流する。第一キャパシターC１、第二キャパシターC２とインダクターL１は、EMCフィルター回路IIに含まれ、典型的なII型フィルター回路の連接方式を形成し、ブリッジ式整流回路Iの出力端に連接し、整流後の直流電力中の交流ノイズをろ過してしまい、直流の部分を安定させる。
【００１２】
制御回路IIIは、制御チップIC１、第五ダイオードD５、第八ダイオードD８、第三キャパシターC３、第四キャパシターC４、第五キャパシターC５、第一レジスターR１、第四レジスターR４、第五レジスターR５を含む。第五ダイオードD５は、EMCフィルター回路IIと制御回路IIIとの間に直列接続し、その正極は、EMCフィルター回路IIの出力端に連接し、電源の出力端である負極は、制御回路IIIに連接する。第一レジスターR１、第四レジスターR４、第三キャパシターC３は、直列接続後、回路に並列接続する。第八ダイオードD８と第五キャパシターC５は直列接続後、制御チップIC１の第六ピンと第一ピンとの間に接続する。その正極端及び制御チップIC１の第一ピンは、第四レジスターR４と第三キャパシターC３の正極の直列接続点に並列接続する。制御チップIC１の第八ピンは、第八ダイオードD８と第五キャパシターC５の直列接続点に連接する。第五レジスターR５と第四キャパシターC４は、制御チップIC１の第二ピンとアースとの間に直列接続する。制御チップIC１の第三ピンの間は、第五レジスターR５と第四キャパシターC４の直列接続点に連接する。制御チップIC１の第四ピンとアースとは、相互に連接する。
【００１３】
電力変換器IVは、第六レジスターR６、第七レジスターR７、第一フィールドエフェクトトランジスターQ１、第二フィールドエフェクトトランジスターQ２、第七キャパシターC７、第八キャパシターC８、昇圧変圧器T１、隔離変圧器T２を含む。その連接方式は以下の通りである。第一フィールドエフェクトトランジスターQ１、第二フィールドエフェクトトランジスターQ２、第七キャパシターC７、第八キャパシターC８は直列接続後、回路中に接続する。第一フィールドエフェクトトランジスターQ１のドレイン極、第二フィールドエフェクトトランジスターQ２のソース極、昇圧変圧器T１の一次コイルの一端と制御回路III中の制御チップIC１の第六ピンとは、並列接続する。昇圧変圧器T１の一次コイルの他端は、第七キャパシターC７と第八キャパシターC８の直列接続点に連接する。隔離変圧器T２の一次端と、昇圧変圧器T１の二次端同極端は、相互に対応して接続する。隔離変圧器T２の二次端は、本考案回路の電力出力端OUTで、冷陰極灯管負荷Vと並列接続する。第七レジスターR７は、制御回路IIIの第七ピンと第一フィールドエフェクトトランジスターQ１のゲイト極との間に直列接続する。第六レジスターR６は、制御チップの第五ピンと第二フィールドエフェクトトランジスターQ２のゲイト極との間に直列接続する。
【００１４】
フィードバック回路VIは、第六キャパシターC６、第六ダイオードD６、第七ダイオードD７を含む。その連接方式は以下の通りである。第六ダイオードD６と第七ダイオードD７は、第三キャパシターC３の両端に直列接続する。第七ダイオードD７の負極と第三キャパシターC３の正極とは、連接する。第六ダイオードD６の正極と第三キャパシターC３の負極とは、連接する。第六キャパシターC６は、第六ダイオードD６と第七ダイオードD７の直列接続点、及び第七キャパシターC７と第八キャパシターC８の直列接続点の間に直列接続する。フィードバック回路VIは、出力電力回路の電流に対する制御を実現し、これにより冷陰極灯管を自動的に点灯させ、発光させる。
【００１５】
本考案冷陰極蛍光灯の表示図である図２に示すように、本考案の冷陰極蛍光灯は、灯管ハウジング１、冷陰極蛍光灯管２、冷陰極蛍光灯管２の両端に設置する接触電極３を備える。冷陰極蛍光灯管２は、灯管ハウジング１内部に設置する。灯管ハウジング１の内部にはさらに、回路板４を設置し、冷陰極蛍光灯管２と電気的に連接する。回路板４の負荷は、冷陰極蛍光灯管２である。
【００１６】
回路板４と冷陰極蛍光灯管２との間には、反射片５を設置する。反射片５は、灯管ハウジング１内に係合して設置する。反射片５は、集光作用を備え、灯光の輝度を高めることができる。
【００１７】
灯管ハウジング１の両端には、接触電極３をそれぞれ設置する。接触電極３一端内部は、回路板４と連接し、露出する他端は、外部電源に連接する。
【００１８】
灯管ハウジング１は、ガラス、或いは透明のポリビニルクロライド(PVC)などの光を透過させることができる透明材料で、その光透過率は５０％以上である。
【００１９】
冷陰極蛍光灯管２を、普通の蛍光灯台に設置すると、電源は接触電極３により駆動回路へと送られ、整流器、フィルター、制御、電力変換を経て、負荷を駆動し、蛍光灯台のスターターが、設置されているか、良好であるかにかかわらず、冷陰極蛍光灯管２を点灯、発光させる。なぜなら、その駆動回路中には、フィードバック回路VIを設置するためで、これにより冷陰極蛍光灯管２の点灯をより容易に駆動でき、発光輝度はさらに安定する。
【００２０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２１】
本考案は実用新案の要件である新規性を備え、従来の同類製品に比べ十分な進歩を有し、実用性が高く、社会のニーズに合致しており、産業上の利用価値は非常に大きい。
【符号の説明】
【００２２】
C１  第一キャパシター
C２  第二キャパシター
C３  第三キャパシター
C４  第四キャパシター
C５  第五キャパシター
C６  第六キャパシター
C７  第七キャパシター
C８  第八キャパシター
D１  第一ダイオード
D２  第二ダイオード
D３  第三ダイオード
D４  第四ダイオード
D５  第五ダイオード
D６  第六ダイオード
D７  第七ダイオード
D８  第八ダイオード
L１  インダクター
R１  第一レジスター
R４  第四レジスター
R５  第五レジスター
R６  第六レジスター
R７  第七レジスター
OUT  電力出力端
Q１  第一フィールドエフェクトトランジスター
Q２  第二フィールドエフェクトトランジスター
T１  昇圧変圧器
T２  隔離変圧器
VIN  交流電力
I  ブリッジ式整流回路
II  EMCフィルター回路
III  制御回路
IV  パワー変圧器
V  冷陰極灯管負荷
VI  フィードバック回路
１  灯管ハウジング
２  冷陰極蛍光灯管
３  電極
４  回路板
５  反射片
【図１】
0003160344.tif 000003
【図２】
0003160344.tif 000004
【手続補正書】
【提出日】平成22年4月8日(2010.4.8)
【手続補正１】
【補正対象書類名】実用新案登録請求の範囲
【補正対象項目名】全文
【補正方法】変更
【補正の内容】
【実用新案登録請求の範囲】
【請求項１】
順番に連接するブリッジ式整流回路、EMCフィルター回路、制御回路、電力変換器、冷陰極灯管負荷を備え、
照明灯駆動回路はさらに、フィードバック回路を備え、前記制御回路と前記電力変換器との間に直列接続し、
前記整流回路は、第一ダイオード、第二ダイオード、第三ダイオード、第四ダイオードを備え、前記各ダイオードはブリッジ式連接を構成し、
前記EMCフィルター回路は、第一キャパシター、第二キャパシター、インダクターを含み、II型フィルター回路連接を構成することを特徴とする照明灯駆動回路。
【請求項２】
前記制御回路は、制御チップ、第五ダイオード、第八ダイオード、第三キャパシター、第四キャパシター、第五キャパシター、第一レジスター、第四レジスター、第五レジスターを含み、
その連接方式は、以下の通りで、
前記第五ダイオードは、前記EMCフィルター回路と前記制御回路との間に接続し、正極は、前記EMCフィルター回路の出力端に連接し、電源の出力端である負極は、前記制御回路に連接し、
前記第一レジスター、前記第四レジスター、前記第五レジスター、前記第三キャパシターは、直列接続後、回路に並列接続し、前記第八ダイオードと前記第五キャパシターは直列接続後、前記制御チップの第六ピンと第一ピンとの間に接続し、正極端及び前記制御チップの第一ピンは、前記第五レジスターと前記第三キャパシターの正極の直列接続点に並列接続し、前記制御チップの第八ピンは、前記第八ダイオードと前記第五キャパシターの直列接続点に連接し、
前記第五レジスターと前記第四キャパシターは、前記制御チップの第二ピンとアースとの間に直列接続し、前記制御チップの第三ピンの間は、前記第五レジスターと前記第四キャパシターの直列接続点に連接し、
前記制御チップの第四ピンとアースとは、相互に連接することを特徴とする請求項１に記載の照明灯駆動回路。
【請求項３】
前記電力変換器は、第六レジスター、第七レジスター、第一フィールドエフェクトトランジスター、第二フィールドエフェクトトランジスター、第七キャパシター、第八キャパシター、昇圧変圧器、隔離変圧器を含み、
その連接方式は、以下の通りで、
前記第一フィールドエフェクトトランジスター、前記第二フィールドエフェクトトランジスター、前記第七キャパシター、前記第八キャパシターは直列接続後、回路中に接続し、前記第一フィールドエフェクトトランジスターのドレイン極、前記第二フィールドエフェクトトランジスターのソース極、前記昇圧変圧器の一次コイルの一端と前記制御回路の第六ピンとは、並列接続し、
前記昇圧変圧器の一次コイルの他端は、前記第七キャパシターと前記第八キャパシターの直列接続点に連接し、
前記隔離変圧器の一次端と、前記昇圧変圧器の二次端同極端は、相互に対応して接続し、前記隔離変圧器の二次端電力出力端と前記冷陰極灯管負荷と並列接続し、前記第七レジスターは、前記制御回路の第七ピンと前記第一フィールドエフェクトトランジスターのゲイト極との間に直列接続し、
前記第六レジスターは、制御チップの第五ピンと前記第二フィールドエフェクトトランジスターのゲイト極との間に直列接続することを特徴とする請求項１に記載の照明灯駆動回路。
【請求項４】
前記フィードバック回路は、第六キャパシター、第六ダイオード、第七ダイオードを含み、
その連接方式は、以下の通りで、
前記第六ダイオードと前記第七ダイオードは、前記制御回路の第三キャパシターの両端に直列接続し、前記第七ダイオードの負極と前記第三キャパシターの正極とは、連接し、前記第六ダイオードの正極と前記第三キャパシターの負極とは、連接し、前記第六キャパシターは、前記第六ダイオードと前記第七ダイオードの直列接続点、及び前記電力変換器中の第七キャパシターと第八キャパシターの直列接続点の間に直列接続することを特徴とする請求項１に記載の照明灯駆動回路。
【請求項５】
前記冷陰極灯管負荷は、少なくとも１個の冷陰極蛍光灯管を備え、
前記冷陰極蛍光灯管は、２個の接触電極を備え、しかも隔離変圧器の出力端に電気的に連接することを特徴とする請求項１に記載の照明灯駆動回路。
【請求項６】
冷陰極蛍光灯は、請求項１に記載の照明灯駆動回路を採用し、灯管ハウジング、冷陰極蛍光灯管を備え、
前記冷陰極蛍光灯管は、灯管ハウジング部に設置し、
前記灯管ハウジングの内部にはさらに、回路板を設置し、前記冷陰極蛍光灯管と電気的に連接し、
前記回路板の負荷は、冷陰極蛍光灯管であることを特徴とする請求項１に記載の照明灯駆動回路を採用する冷陰極蛍光灯。
【請求項７】
前記回路板と前記冷陰極蛍光灯管との間には、反射片を設置し、前記反射片は、前記灯管ハウジング内に係合して設置することを特徴とする請求項６に記載の冷陰極蛍光灯。
【請求項８】
前記灯管ハウジングの両端には、接触電極をそれぞれ設置し、前記接触電極一端内部は、前記回路板と連接し、露出する他端は、外部電源に連接することを特徴とする請求項６に記載の冷陰極蛍光灯。
【請求項９】
前記灯管ハウジングは、透明材料であることを特徴とする請求項６に記載の冷陰極蛍光灯。